(57)【要約】      （修正有）【課題】製品毎の画面の明るさのばらつきを低減できる表示装置を提供する。【解決手段】表示器１００は、可撓性配線部材５０を有する。回路基板２００は、表示器１００に固定されると共に可撓性配線部材５０が接続される。ラベル３００は、可撓性配線部材５０に貼着され、表示器１００に関する情報が表示されている。メモリ部は、表示器１００に関するデータが記憶されている。回路基板２００は、メモリ部にデータを入力する端子部２５０を有する。ラベル３００は、回路基板２００が表示器１００に固定された状態で視認可能な位置に貼着されている。【選択図】図２
2019045723.tif 000002
【特許請求の範囲】
【請求項１】
表示器と、前記表示器に固定された回路基板と、前記表示器に関する情報が表示されているラベルと、前記表示器に関するデータが記憶されたメモリ部と、を備え、
前記回路基板は、前記メモリ部に前記データを入力する端子部を有すると共に、前記ラベルは、前記回路基板が前記表示器に固定された状態で視認可能な位置に貼着されていることを特徴とする表示装置。
【請求項２】
可撓性配線部材を有する表示器と、前記表示器に固定されると共に前記可撓性配線部材が接続された回路基板と、前記可撓性配線部材に貼着され前記表示器に関する情報が表示されているラベルと、前記表示器に関するデータが記憶されたメモリ部と、を備え、
前記回路基板は、前記メモリ部に前記データを入力する端子部を有すると共に、前記ラベルは、前記回路基板が前記表示器に固定された状態で視認可能な位置に貼着されていることを特徴とする表示装置。
【請求項３】
前記表示器は、液晶表示パネルと、前記液晶表示パネルを照明する光を発する発光素子と、を有することを特徴とする請求項１または請求項２に記載の表示装置。
【請求項４】
前記ラベルに表示されている前記情報は、前記発光素子の輝度ランクであることを特徴とする請求項３に記載の表示装置。
【請求項５】
前記メモリ部に記憶された前記データは、前記発光素子の輝度データであることを特徴とする請求項３または請求項４に記載の表示装置。
【発明の詳細な説明】
【技術分野】
【０００１】
本発明は、発光ダイオード等の発光素子を備えた表示装置に関するものである。
【背景技術】
【０００２】
従来より、液晶表示パネルを備えた液晶表示装置が種々提案されており、例えば特許文献１に開示されている。斯かる液晶表示装置は、発光ダイオード等の発光素子が発する照明光によって液晶表示パネルを照明するバックライト仕様になっている。液晶表示装置の画面は、発光素子の発光輝度に応じて、明るくなったり、暗くなったりする。
【先行技術文献】
【特許文献】
【０００３】
【特許文献１】特開２００７−２９２９６３号公報
【発明の概要】
【発明が解決しようとする課題】
【０００４】
しかしながら、発光ダイオードは、個々の発光輝度にばらつきがあり、液晶表示装置の画面の明るさも製品毎にばらつくという問題を有していた。例えば、１００個の液晶表示装置（製品）を製造した場合、１００個の製品が夫々、画面の明るさが異なるということもあり得る。
本発明は、製品毎の画面の明るさのばらつきを低減できる表示装置を提供するものである。
【課題を解決するための手段】
【０００５】
本発明は、表示器１００と、前記表示器１００に固定された回路基板２００と、前記表示器１００に関する情報が表示されているラベル３００と、前記表示器１００に関するデータが記憶されたメモリ部２３０と、を備え、
前記回路基板２００は、前記メモリ部２３０に前記データを入力する端子部２５０を有すると共に、前記ラベル３００は、前記回路基板２００が前記表示器１００に固定された状態で視認可能な位置に貼着されていることを特徴とする。
【０００６】
また、本発明は、可撓性配線部材５０を有する表示器１００と、前記表示器１００に固定されると共に前記可撓性配線部材５０が接続された回路基板２００と、前記可撓性配線部材５０に貼着され前記表示器１００に関する情報が表示されているラベル３００と、前記表示器１００に関するデータが記憶されたメモリ部２３０と、を備え、前記回路基板２００は、前記メモリ部２３０に前記データを入力する端子部２５０を有すると共に、前記ラベル３００は、前記回路基板２００が前記表示器１００に固定された状態で視認可能な位置に貼着されていることを特徴とする。
【０００７】
また、本発明は、前記表示器１００は、液晶表示パネル１０と、前記液晶表示パネル１０を照明する光を発する発光素子３０と、を有することを特徴とする。
【０００８】
また、本発明は、前記ラベル３００に表示されている前記情報は、前記発光素子の輝度ランクであることを特徴とする。
【０００９】
また、本発明は、前記メモリ部２３０に記憶された前記データは、前記発光素子３０の輝度データであることを特徴とする。
【発明の効果】
【００１０】
回路基板を表示器に固定した状態で、表示器に関するデータをメモリ部に入力することができ、製品毎の画面の明るさのばらつきを低減できる。
【図面の簡単な説明】
【００１１】
【図１】本発明の実施形態を示す断面図。
【図２】同上実施形態を示す後面図。
【図３】同上実施形態の電気的構成を示すブロック図。
【図４】本発明の他の実施形態を示す後面図。
【発明を実施するための形態】
【００１２】
以下、添付図面に基づいて、本発明を液晶表示装置に適用した一実施形態を説明する。液晶表示装置は、液晶表示器１００，回路基板２００，ラベル３００を備えている。液晶表示器１００は、液晶表示パネル１０，導光板２０，発光素子３０，ケース体４０，可撓性配線板５０，ベゼル６０等を有している。
【００１３】
液晶表示パネル１０は、透明電極が形成された一対のガラス基板に液晶を封入したＴＦＴ型液晶パネルの前後両面に偏光板を貼着したものであり、車両速度，エンジン回転数等の車両情報が画像で表示される。液晶表示パネル１０は、可撓性配線板５０によって、回路基板２００と電気的に接続されている。可撓性配線板５０は、ＦＰＣ（Flexible Printed Circuit）と称されるものである。
【００１４】
導光板２０は、アクリル等の透光性樹脂からなるものであり、平板形状になっている。導光板２０は、液晶表示パネル１０の後面側に配設されている。導光板２０の前後面には、光拡散シート，光反射シート，輝度上昇フィルム等の光学シート２１が配設されている。導光板２０は、ケース体４０に保持され、液晶表示パネル１０と平行になっている。
【００１５】
発光素子３０は、複数の発光ダイオードからなり、導光板２０の側端面２０ａに沿うように列状に配置されている。発光素子３０は、硬質配線板３１に搭載され、導光板２０の側端面２０ａに照明光を発する。発光素子３０が発した照明光は、導光板２０によって液晶表示パネル１０の後面側に導かれる。
【００１６】
ケース体４０は、ステンレス（ＳＵＳ）等の金属からなるものであり、導光板２０，発光素子３０等を収容する。ケース体４０は、回路基板２００を固定する支持部４０ｂを有している。可撓性配線板５０の一端５０ａは、液晶表示パネル１０に接続され、可撓性配線板５０の他端５０ｂは、回路基板２００のコネクタ２４０に接続されている。ベゼル６０は、液晶表示パネル１０の画面を視認するための矩形の開口部６０ａを有しており、液晶表示パネル１０の外周を保持している。
【００１７】
回路基板２００は、ガラスエポキシ樹脂からなる基材に配線パターンを形成したものであり、４本のビスＶによって、ケース体４０の支持部４０ｂに固定されている。回路基板２００の前面には、表示コントローラ２１０，マイコン２２０が搭載されている。回路基板２００の後面には、ＥＥＰＲＯＭ（Electrically Erasable Programmable Read Only Memory）２３０，コネクタ２４０が搭載されている。
【００１８】
回路基板２００の後面には、チェックランド２５０が形成されており、このチェックランド２５０からＥＥＰＲＯＭ２３０に、発光素子３０の輝度データを記憶させる。ＥＥＰＲＯＭ２３０に記憶される輝度データとしては、発光素子３０に印加する駆動電圧データや、ＰＷＭ（Pulse Width Modulation）データが考えられる。
【００１９】
ラベル３００は、ＱＲコード（登録商標）が印刷された粘着シートであり、可撓性配線板５０に貼着されている。ラベル３００のＱＲコードには、発光素子３０の輝度ランクに関する情報が記憶されている。ラベル３００は、液晶表示装置の後側から視認可能な位置に貼着されている。
【００２０】
図３は、液晶表示装置の電気的構成を示すブロック図である。マイコン２２０は、ＣＰＵ２２１，不揮発性メモリ２２２，揮発性メモリ２２３を有しており、回路基板２００に搭載されている。不揮発性メモリ２２２は、例えばフラッシュメモリからなるものであり、揮発性メモリ２２３は、例えばＳＤＲＡＭ（Synchronous Dynamic Random Access Memory）からなるものである。
【００２１】
速度センサ４００は、車両速度を検出し、マイコン２２０に速度データを出力する。回転センサ５００は、エンジンの回転数を検出し、マイコン２２０に回転数データを出力する。マイコン２２０は、不揮発性メモリ２２２に格納されている所定のプログラムに基づいて、表示コントローラ２１０を制御すると共に、発光素子３０を駆動する。表示コントローラ２１０は、マイコン２２０から出力された制御信号に基づいて、液晶表示パネル１０に画像を表示させる。
【００２２】
本実施形態によれば、回路基板２００を表示器１００に固定した状態で、ラベル３００のＱＲコードをスキャンし、発光素子３０の輝度ランクに応じた輝度データをＥＥＰＲＯＭ２３０に入力することができ、発光素子３０の発光輝度を一定にすることにより、製品毎の輝度ばらつきを低減することが可能となる。
【００２３】
なお、本実施形態は、本実施形態に限定されるものではなく、種々の変形が可能である。例えば、図４に示す他の実施形態のように、ラベル３００をケース体４０に貼着しても良い。また、本実施形態は、チェックランド２５０からＥＥＰＲＯＭ２３０に発光素子３０の輝度データを記憶させるものであったが、例えば、ＣＡＮ（Controller Area Network）が接続されたコネクタを介して、ＥＥＰＲＯＭ２３０に発光素子３０の輝度データを記憶させても良い。
【符号の説明】
【００２４】
１００  液晶表示器（表示器）
１０  液晶表示パネル
３０  発光素子
５０  可撓性配線板（可撓性配線部材）
２００  回路基板
２３０  ＥＥＰＲＯＭ（メモリ部）
２５０  チェックランド（端子部）
３００  ラベル
【図１】
2019045723.tif 000003
【図２】
2019045723.tif 000004
【図３】
2019045723.tif 000005
【図４】
2019045723.tif 000006